(57)【要約】【課題】印刷手段の圧接・離間を行うリンクレバーが上カバーから外れた場合でも復旧が容易となる印刷装置を提供する。【解決手段】筐体本体２と、上カバー５と、印刷手段３２と、プラテンローラ３５と、印刷手段３２をプラテンローラ３５に圧接させるとともにプラテンローラ３５から離間させる圧接・リリース機構と、一端が上カバー５に係合されるとともに他端が圧接・リリース機構５１に連結され、上カバー５の開閉に連動して圧接・リリース機構を作動してプラテンローラ３５に対する印刷手段３２の圧接・離間を行うリンクレバー３４とを有する印刷装置において、上カバー５は、リンクレバー一端３４αが係合する位置下方に形成されるガイドリブ７１を備え、ガイドリブ７１上面に形成されるガイド面７１Ａは、上カバー５開放時にリンクレバー一端３４αが上カバー５から外れた際に、前記リンクレバー３４を受け止めて保持する。【選択図】図４
2011000764.tif 000002
【特許請求の範囲】
【請求項１】
ロール状に巻回される印字媒体が装着される筐体本体と、
前記筐体本体に開閉自在に取り付けられる上カバーと、
前記筐体本体内に配設され印字媒体に印刷を行う印刷手段と、
前記印刷手段に対向して筐体本体に回動自在に支持されたプラテンローラと、
前記印刷手段を前記プラテンローラに圧接させるとともにプラテンローラから離間させる圧接・リリース機構と、
一端が前記上カバーに係合されるとともに他端が前記圧接・リリース機構に連結され、上カバーの開閉に連動して圧接・リリース機構を作動して前記プラテンローラに対する印刷手段の圧接・離間を行うリンクレバーとを有する印刷装置において、
前記上カバーは、前記リンクレバー一端が係合する位置下方に形成されるガイドリブを備え、
前記ガイドリブ上面に形成されるガイド面は、前記上カバー開放時に前記リンクレバー一端が上カバーから外れた際に、前記リンクレバーを受け止めて保持することを特徴とする印刷装置。
【請求項２】
前記リンクレバーが外れた前記上カバーは開放角度が規制され、
前記係合は、前記リンクレバー一端と前記上カバーのいずれか一方に形成される係合孔に、他方に形成される軸部が挿入されることによりなされ、
前記リンクレバー一端は前記上カバーを閉塞する際に、前記ガイド面上で滑るとともに、前記軸部が前記係合孔に自動的に挿入されることを特徴とする請求項1に記載の印刷装置。
【請求項３】
前記軸部、前記係合孔又は前記リンクレバー一端のいずれかに面取部が形成され、  
前記軸部は、前記面取部を介して前記係合孔に自動的に挿入されることを特徴とする請求項２に記載の印刷装置。
【発明の詳細な説明】
【技術分野】
【０００１】
本発明は、ロール状に巻回される印字媒体が装着される筐体本体と、前記筐体本体に開閉自在に取り付けられる上カバーとを有する印刷装置に関するものである。
【背景技術】
【０００２】
従来より、ロール状に巻回される印字媒体が装着される筐体本体と、前記筐体本体に開閉自在に取り付けられる上カバーとを有する印刷装置に関して種々提案されている。
例えば、特許文献１のように、プラテンローラへのサーマルヘッドの圧接・離間操作を行うリンクレバーの一端が印刷装置の上カバーに係合され、上カバーを閉じるのに連動して、サーマルヘッドが自動的に上方に移動され、印字媒体をプラテンローラに押圧付勢して印字可能な状態となる印刷装置がある。この印刷装置では、上カバーを開くと、それに連動してサーマルヘッドは下方に移動し、プラテンローラから離間するので、印刷を開始したい使用者は、両者の間に印字媒体の一端を差し込んで上カバーを閉じれば、また印刷可能状態となる。
【先行技術文献】
【特許文献】
【０００３】
【特許文献１】特開２００９−０２８９７７号公報
【発明の概要】
【発明が解決しようとする課題】
【０００４】
しかしながら、上述した特許文献１の印刷装置ではリンクレバーの一端は上カバーに着脱可能に係合されている。よって、ユーザーが上カバーを開いて、プラテンローラとサーマルヘッドとの間に印字媒体を差し込む作業をする際に上カバーやリンクレバーに触れる等すると、リンクレバーが上カバーから外れ、下方に落下する。その場合、ユーザーが手動でリンクレバーを上カバーに係合しなおさなくてはならないという問題点がある。
【０００５】
そこで、本発明は、上述した問題点を解決するためになされたものであり、印刷手段の圧接・離間操作を行うリンクレバーが上カバーから外れた場合でも復旧が容易となる印刷装置を提供することを目的とする。
【課題を解決するための手段】
【０００６】
前記目的を解決するため、請求項１に係る印刷装置は、ロール状に巻回される印字媒体が装着される筐体本体と、前記筐体本体に開閉自在に取り付けられる上カバーと、前記筐体本体内に配設され印字媒体に印刷を行う印刷手段と、前記印刷手段に対向して筐体本体に回動自在に支持されたプラテンローラと、前記印刷手段を前記プラテンローラに圧接させるとともにプラテンローラから離間させる圧接・リリース機構と、一端が前記上カバーに係合されるとともに他端が前記圧接・リリース機構に連結され、上カバーの開閉に連動して圧接・リリース機構を作動して前記プラテンローラに対する印刷手段の圧接・離間を行うリンクレバーとを有する印刷装置において、前記上カバーは、前記リンクレバー一端が係合する位置下方に形成されるガイドリブを備え、前記ガイドリブ上面に形成されるガイド面は、前記上カバー開放時に前記リンクレバー一端が上カバーから外れた際に、前記リンクレバーを受け止めて保持することを特徴とする。
【０００７】
また、請求項２に係る印刷装置は、請求項１に記載の印刷装置において、前記リンクレバーが外れた前記上カバーは開放角度が規制され、前記係合は、前記リンクレバー一端と前記上カバーのいずれか一方に形成される係合孔に、他方に形成される軸部が挿入されることによりなされ、前記リンクレバー一端は前記上カバーを閉塞する際に、前記ガイド面上で滑るとともに、前記軸部が前記係合孔に自動的に挿入されることを特徴とする。  
【０００８】
また、請求項３に係る印刷装置は、請求項２に記載の印刷装置において、前記軸部、前記係合孔又は前記リンクレバー一端のいずれかに面取部が形成され、前記軸部は、前記面取部を介して前記係合孔に自動的に挿入されることを特徴とする。
【発明の効果】
【０００９】
請求項１に係る印刷装置では、上カバーは、リンクレバー一端が係合する位置下方に形成されるガイドリブを備え、前記ガイドリブの上面に形成されるガイド面は、上カバーの開放時にリンクレバーが上カバーから外れた際に、前記リンクレバーを受け止めて保持する。このため、ユーザーがリンクレバーを元通り上カバーに係合し直すのが容易となる。
【００１０】
さらに、請求項２に係る印刷装置では、リンクレバーが外れた後も上カバーの開放角度は規制される。このためガイドリブの位置はリンクレバーが上カバーから外れた後に大きく変動せず、ガイド面はリンクレバーを更に確実に受け止めて保持することができる。
また、リンクレバーと上カバーの係合は係合孔に軸部が挿入することによりなされ、リンクレバーは上カバーを閉塞する際に、前記ガイド面上で滑るとともに、前記軸部が前記係合孔に自動的に挿入される。よって、ユーザーが上カバーを閉じさえすれば、上カバーから外れてガイドリブに保持されたリンクレバーは自動的に元通り係合する。
【００１１】
さらに、請求項３に係る印刷装置では、前記軸部、前記係合孔又は前記リンクレバー一端のいずれかに面取部が形成され、前記軸部は、前記面取部を介して前記係合孔に自動的に挿入される。よって、上カバーを閉塞する際のリンクレバー再係合はよりスムーズに行われる。
【図面の簡単な説明】
【００１２】
【図１】ロールシートホルダが装着され、リンクレバーが上カバーから外れてガイドリブのガイド面上に保持された状態における本実施形態の印刷装置を、上カバーを開けて示す右側上方からの斜視図である。
【図２】本実施形態に係る印刷装置の背面図である。
【図３】本実施形態に係る印刷装置の上カバーを開けた状態を示す平面図である。
【図４】図３に示す印刷装置のＡ−Ａ´側断面図である。
【図５】図３に示す印刷装置のＢ−Ｂ´側断面図である。
【図６】開いた上カバーを切断した状態における印刷装置の平断面図である。拡大部分ではリンクレバーと上カバーの面取部を示している。
【発明を実施するための形態】
【００１３】
以下、本発明に係る印刷装置について、本発明を具体化した一実施形態に基づき図面を参照しつつ詳細に説明する。なお、以下で説明する図１〜図６における上カバー５は、後述するリンクレバー３４が外れて開ききった状態にある。
【００１４】
先ず、本実施形態に係るロールシートホルダが装着される印刷装置の概略構成について図１乃至図５に基づき説明する。
図１等に示すように、印刷装置１は、樹脂製の本体筐体２と、所定幅のロールシート３Ａが巻回されたロールシートホルダ３を収納するロールシートホルダ収納部４と、ロールシートホルダ収納部４の上側を覆う透明樹脂製の上カバー５とから構成されている。上カバー５は、本体筐体２の後側上端縁部にヒンジによって開閉自在に取り付けられている。なお、この上カバー５の後端縁部には側面視三角形の爪部５Ｃ、５Ｃ´（図２参照）があり、後述のように、この爪部５Ｃ、５Ｃ´が本体筐体２の後上端部に当接することにより、上カバー５の開放角度が規制される。すなわち、爪部５Ｃ、５Ｃ´が本体筐体２の後上端部に当接する際に、上カバー５が開ききった状態となる。
なお、このロールシート３Ａは、自己発色性を有する長尺状の感熱シート（いわゆる、サーマルペーパー）や、該感熱シートの片面に粘着剤を介して離型紙が貼り合わされた長尺状のラベルシート等で構成されている。
【００１５】
また、上カバー５の前側のフロントカバー６には、印刷されたロールシート３Ａを外部に排出するシート排出口６Ａが形成されている。また、このシート排出口６Ａの上側の前面部には電源ボタン７Ａ、押下することによってシート排出口６Ａの内側に設けられたカッターユニット８（図４参照）を駆動させてロールシート３Ａを切断するカットボタン７Ｂ、押下している間ロールシート３Ａを搬送方向に排出するフィードボタン７Ｃが略水平に配置されている。
【００１６】
ここで、カッターユニット８は、図４に示すように、固定刃８Ａと可動刃８Ｂを有する。カットボタン７Ｂが押下された場合には、可動刃８ＢがＤＣモータ等で構成される切断用モータにより上下方向に往復移動される。そして、固定刃８Ａと可動刃８Ｂとによって切断されたロールシート３Ａは、シート排出口６Ａから排出される。尚、可動刃８Ｂは正面視Ｖ字形に構成されている。
【００１７】
また、図１に示すように、トレー部材９がフロントカバー６の前側を覆うように、このフロントカバー６の下端縁部に開閉自在に取り付けられ、上端部に形成された凹み部９Ａに指を掛けて前側に回動させて開くことができるように構成されている。
尚、図２に示すように、本体筐体２の背面部には電源コードが接続されるインレット１０が配設されると共に、その横側にはパーソナルコンピュータ等と接続されるＵＳＢ（Universal Serial Bus）コネクタ１１が設けられている。
【００１８】
図４、図５に示すように、上カバー５は、側面視略半円形状に形成されている。本体筐体２の上カバー５の開口部が当接する左右側端縁部は、外側方向に所定幅（例えば、約１０ｍｍである。）延出されて各段部１３、１３が形成されている。
【００１９】
図３等に示すようにロールシートホルダ収納部４の前側の左右側壁部には、内側に弾性変形可能に形成された各弾性係止片１５、１５が設けられている。また、各弾性係止片１５、１５には、外側方向に突出する側断面三角形の係止突起１５Ａが形成され、上カバー５の開口部側端縁部に形成された各係合凹部１６、１６に係合可能に構成されている。
【００２０】
これにより、上カバー５を前側方向に回動させて各段部１３に当接させることにより、各弾性係止片１５と各係合凹部１６とが係合し、上カバー５が閉じられた状態で保持される。また、上カバー５の前端中央部に形成される凹み部５Ａに指を掛けて後側方向に回動させることによって、各弾性係止片１５と各係合凹部１６との係合が外れ、上カバー５を開くことが可能となる。
【００２１】
また、図１に示すように上カバー５の凹み部５Ａの正面左側には、前側方向に所定長さ突出した押し爪部５Ｂが設けられている。上カバー５を閉じた場合に、本体筐体２の当該押し爪部５Ｂが当接する位置には、マイクロスイッチ等から構成されて、この押し爪部５Ｂによって押下されたか否か、即ち、上カバー５が閉じられたか否かを判別するための上カバー検出スイッチ１８が配置されている。
【００２２】
また、図１に示すように、印刷装置１は、ロールシートホルダ収納部４の搬送方向に対して略垂直方向の一方の側端縁部（図１中、右側側端縁部）に、ロールシートホルダ３を構成する位置決め保持部材２０の外側方向に突設される断面略矩形状の取付部材２１を嵌め込むことができるホルダ支持部材２３が設けられている。
【００２３】
図３等に示すように、ロールシート３Ａを挿入する挿入口２６（図４参照）の後端縁部からロールシートホルダ収納部４の前側上端縁部まで略水平に延出された載置部２９が設けられている。また、この載置部２９の搬送方向後側の端縁角部には、ロールシート３Ａの複数の幅寸法に対応して断面略Ｌ字状の５個の第２位置決め溝部３０Ａ〜３０Ｅが形成されている。この各第２位置決め溝部３０Ａ〜３０Ｅは、ロールシートホルダ３を構成するガイド部材２８（図１参照）の載置部２９に当接する先端下端部分を上方から嵌め込むことができるように形成されている。
【００２４】
また、ロールシートホルダ収納部４の底面部には、ホルダ支持部材２３の内側基端部から対向する側面部基端部まで搬送方向に対して略垂直に平面視横長四角形の位置決め凹部４Ａが所定深さ（本実施形態では、約１．５〜３ｍｍの深さである。）で形成されている。この位置決め凹部４Ａの搬送方向幅寸法は、ロールシートホルダ３を構成する位置決め保持部材２０（図１参照）及びガイド部材２８の各下端縁部の幅寸法にほぼ等しくなるように形成されている。
【００２５】
また、位置決め凹部４Ａのホルダ支持部材２３の内側基端部には、位置決め保持部材２０の下端縁部から略直角内側方向に延出されるシート判別部（不図示）に対向する部分が、位置決め凹部４Ａよりもさらに所定深さだけ深くなるように形成された搬送方向に縦長の平面視長四角形の判別凹部４Ｂが形成されている。
【００２６】
また、この判別凹部４Ｂには、プッシュ式のマイクロスイッチ等から構成されて、ロールシート３Ａの種別、材質、ロールシート幅等を判別するための５個のシート判別センサＰ１、Ｐ２、Ｐ３、Ｐ４、Ｐ５がＬ字状に設けられている。
この各シート判別センサＰ１〜Ｐ５は、プランジャーとマイクロスイッチ等から構成される公知の機械式スイッチからなり、該各プランジャーの上端部は、該判別凹部４Ｂの底面部から位置決め凹部４Ａの底面部近傍まで突き出るように設けられている。そして、この各シート判別センサＰ１〜Ｐ５に対して位置決め保持部材２０の下端縁部から略直角内側方向に延出されるシート判別部に形成される各センサ孔（不図示）が有るか否かを検出して、そのオン・オフ信号によりロールシートホルダ３に装着されたロールシート３Ａの種別、材質、ロールシート幅等を検出するものである。
【００２７】
また、挿入口２６のホルダ支持部材２３側の側端縁部には、載置部２９のほぼ搬送方向後端部まで案内部３１が形成され、ロールシート３Ａを挿入口２６まで案内している。ここで、この案内部３１の内側端面（図３中、左側端面）は、該ホルダ支持部材２３に嵌め込まれる位置決め部材２０の内側端面に対向する位置、つまり、同一平面上に位置するように形成されている。これにより、ロールシートホルダ３から引き出されたロールシート３Ａの外側の側端縁部は、この案内部３１の内側端面に当接して、挿入口２６へ案内される。
【００２８】
また、図１等に示すように、ホルダ収納部４のホルダ支持部材２３と反対側の側端縁部に対向する上カバー５の開口部周縁の内側には、係合軸３３が立設されている。この係合軸３３は、後述するサーマルヘッド３２を上下動させる樹脂性のリンクレバー３４を上カバー５に回動可能且つ着脱可能に取り付けるためのものである。すなわち、係合軸３３に、上カバー側のリンクレバー端縁部３４αに形成された係合孔３４Ａが嵌め込まれることにより、リンクレバー３４は上カバー５に係合される。また、上カバー５には、係合軸３３に係合した状態におけるリンクレバー端縁部３４α下方に後述するガイドリブ７１（本実施形態において幅約５ｍｍである）が立設されている。なお、本実施形態における係合孔３４Ａは貫通孔である。係合軸３３は、リンクレバー３４の厚さ（本実施形態において約３ｍｍである）にほぼ等しい高さに形成されている。
【００２９】
また、図４に示すように、挿入口２６のロールシート搬送方向奥側には、プラテンローラ３５が回転自在に軸支されている。また、サーマルヘッド３２は押圧バネ３６によって上方に付勢されているヘッド支持部材３７の上面に固定されている。また、このヘッド支持部材３７の搬送方向に対して後側の端縁部は、フレーム３８の背面部によって上下方向に揺動可能に支持されている。
【００３０】
そして、図５に示すように、リンクレバー３４のもう一方の端縁部は、段部１３の内側端縁部に形成された断面略縦長四角形の挿通孔５５に挿通されるとともに、リリースレバー５１の一方の端縁部と回動可能に連結されている。
このリリースレバー５１のもう一方の端縁部は、左側フレーム４７の係合孔５１Ａに挿入されたレバー軸５０に回動可能に軸支されている。この左側フレーム４７にはプラテンローラ３５のローラ軸の左側端縁部を軸支されている。また一部切欠面を有するリリース軸４８の左側端縁部が軸支され、所定長さ外側方向に突出している。このリリース軸４８の左側端縁部には、外周面の約半周部分にギヤが形成されたリリースギヤ４９が取り付けられている。そして、リリースレバー５１の係合孔５１Ａ側の外周面のうち、上カバー５を閉じた際にリリースギヤ４９に対向する約半周部分には、リリースギヤ４９に歯合する不図示のレバーギヤが形成されている。  
また、図４に示すようにこのリリース軸４８はその下面で、下部干渉部材５７の先端と接している。明示していないが、下部干渉部材５７は上記のサーマルヘッド支持部材３７の下面部に設けられ側面視略Ｌ字形をしている。
【００３１】
従って、上記係合軸３３と係合孔３４Ａを介してリンクレバー３４が上カバー５に係合している場合において上カバー５を閉じると、リンクレバー３４が上カバー５の動きに連動して前側方向に移動し、リリースレバー５１がレバー軸５０を中心にして左側面視反時計方向に回動される。すると不図示のレバーギヤを介してリリースギヤ４９が左側面視時計方向に約１８０度回転される。これにより、リリース軸４８も左側面視時計方向に約１８０度回転される。すると、下部干渉部材５７の先端が、リリース軸４８の切欠面の下方に位置することになる。これにより、下部干渉部材５７の先端が、リリース軸４８によって下方に押下されないため、押圧バネ３６によってヘッド支持部材３７が上方に回動されて、サーマルヘッド３２が、プラテンローラ３５にロールシート３Ａを押圧付勢して印字可能な状態になる。
【００３２】
一方、リンクレバー３４が上カバー５に係合している場合に上カバー５を開くと、リンクレバー３４が後側方向に移動し、リリースレバー５１、不図示のレバーギヤ、リリースギヤ４９、リリース軸４８がそれぞれ上記と反対方向に回転される。すると、側面視略Ｌ字形の下部干渉部材５７の先端が、リリース軸４８の円筒側面で下方に押下されるため、ヘッド支持部材３７が押圧バネ３６の付勢力に抗して下方に回動されて、サーマルヘッド３２がプラテンローラ３５から離間する。するとロールシート３Ａを挿入口２６から挿通して、プラテンローラ３５とサーマルヘッド３２との間に挿通可能な状態になる。また、リリースレバー５１の下縁部が挿通孔５５の外周上端部に当接して、上カバー５の開放角度が規制される。なお、このとき規制される開放角度は、上述した上カバー爪部５Ｃ、５Ｃ´が本体筐体２の後上端部に当接することにより規制される開放角度よりも小さい。
【００３３】
なお、図４に示すように、ロールシートホルダ収納部４の下側には、仕切壁３９を介して、外部のパーソナルコンピュータ等からの指令によりサーマルヘッド３２等の各機構部を駆動制御する制御回路部が形成されると共に各シート判別センサＰ１〜Ｐ５が電気的に接続された制御基板４０が設けられている。また、フレーム３８の下方には、仕切壁３９を介して、電源回路部が形成された電源基板４１が設けられている。
【００３４】
また、サーマルヘッド３２は、フレキシブルフラットケーブル（ＦＦＣ）４３によって、制御基板４０の底面側に設けられたコネクタ４４に接続されている。そして、制御基板４０及び電源基板４１は、底面部にネジ止めされた薄い鋼板製（本実施形態では、厚さ約０．５ｍｍのＳＰＣＣ等の鋼板製である。）の底面カバー４５によって覆われている。
【００３５】
次に、上カバーからリンクレバーが外れた後に再係合する機構について図１、図４、図５、図６に基づいて説明する。なお、上カバー５に係合したリンクレバー３４は、上カバー側リンクレバー端縁部３４αを内側方向（図１中、右下方向である）にリンクレバー３４の厚さ以上撓ませることによって外れてしまう。また、上カバー５の開口部を外側に押し広げることによっても外れてしまう。リンクレバー３４が上カバー５から外れるのは上カバー５の開放時、すなわち上カバー５と係合するリンクレバー３４と連結するリリースレバー５１の下縁部が挿通孔５５の外周上端部に当接している状態で起こりやすい。リンクレバー３４がある程度軽量であることやリリースレバー５１とレバー軸５０との摩擦により、この当接状態でリンクレバー３４が上カバー５から外れてもリリースレバー５１は左側面視反時計方向（図５参照）に回動しない。
【００３６】
上述したように、上カバー５は、係合軸３３に係合した状態におけるリンクレバー端縁部３４α下方にガイドリブ７１が立設されている。このため、上カバー５から外れたリンクレバー端縁部３４αは、ガイドリブ７１上面に形成されるガイド面７１Ａに受けとめられる。上述のようにリリースレバー５１は回動しないので、この時のリンクレバー３４は、リリースレバー５１との連結部を軸に下方（図５中、左下方向である）に回動する。
【００３７】
一方、リンクレバー３４が外れて開放角度が規制されなくなった上カバー５は更に開き、上述のように、上カバー５の爪部５Ｃ、５Ｃ´が、本体筐体２の後上端部に当接することにより開ききった状態となる。この状態において、図４に示すように、ガイド面７１Ａは、左側面視した係合軸３３の中心Ｃ１及び、ガイド面７１Ａ上に受け止められたリンクレバー端縁部３４αにおける係合孔３４Ａの中心Ｃ２が、上カバー５の回転中心Ｔ（上カバーを本体ヒンジの軸）を中心にした同一の円Ｌ上にあるように形成されている。また、ガイド面７１Ａを側面視してなる線分が、上カバー５の回転中心Ｔを中心とした円の接線（図４のＭで示す円である）となるように、形成されている。
【００３８】
また、図６に示すように、係合軸３３及びリンクレバー端縁部３４αにはそれぞれ面取りがなされている。この面取りは、上述したＣ１とＣ２を結ぶ円Ｌに沿って形成される（図４参照）。図６の拡大図に示すように、係合軸３３の面取部と、リンクレバー端縁部３４αの面取部は面取り角度が等しい。また面取りは、係合孔３４Ａにも形成されている。リンクレバー端縁部３４αにおいて、外側（図６中、左側である）側面と係合孔３４Ａでつくる円は、内側側面と係合孔３４Ａで作る円よりも大きくなっている。
【００３９】
図４及び図６に示すように、上記の状態から上カバー５を閉じていくと、ガイド面７１Ａに受け止められたリンクレバー端縁部３４αの下面を左側面視左方向（図４中、Ｘ方向である）に、ガイド面７１Ａがスライドしていく。すなわち、上記ガイド面７１Ａを側面視してなる線分が上カバー５の回転中心Ｔを中心とする円の接線となる位置関係により、上カバー５を閉じてガイドリブ７１の位置が移動することによるリンクレバー５の位置の変動はわずかとなる。一方、上カバーに設けられた係合軸３３は、円Ｌに沿ってＸ方向に移動する。すると係合軸３３とリンクレバー端縁部３４αが接する。
ここで、図６に示すように、係合軸３３の面取部とリンクレバー端縁部３４αの面取部は対向しており、係合軸３３とリンクレバー３４αは、各面取部を介して互いと接することになる。このためリンクレバー端縁部３４αは係合軸３３上に乗り上げ、更にＸ方向にスライドする。上カバー５を閉じる際にリンクレバー５の位置が少々変動しても、係合孔３４Ａに面取がなされていることによって係合軸３３は容易に係合孔３４Ａに挿入される。
【００４０】
ここで、サーマルヘッド３２は印刷手段を構成する。また、ロールシート３Ａは印字媒体を構成する。リリースレバー５１、レバー軸５０、リリースギヤ４９、下部干渉部材５７、リリース軸４８、レバーギヤは圧接・リリース機構を構成する。係合軸３３は軸部を構成する。
【００４１】
従って、本実施形態に係る印刷装置１では、上カバー５は、リンクレバー端縁部３４αが係合する位置下方に形成されるガイドリブ７１を備え、ガイドリブ７１上面に形成されるガイド面７１Ａは、上カバー５開放時にリンクレバー端縁部３４αが上カバー５から外れた際に、前記リンクレバー３４を受け止めて保持する。よって、ユーザーは、リンクレバー３４を元通り上カバー５に容易に係合し直すことができる。
【００４２】
また、本実施形態に係る印刷装置１では、リンクレバー３４が外れても上カバー５は開放角度が規制される。このためガイドリブの位置はリンクレバーが上カバーから外れた後に大きく変動せず、ガイド面はリンクレバーを更に確実に受け止めて保持することができる。
また、リンクレバー３４と上カバー５との係合は、リンクレバー端縁部３４αに形成される係合孔３４Ａに上カバーに形成される係合軸３３が挿入されることによりなされ、上カバー５を閉塞する際に、リンクレバー端縁部３４αはガイド面７１Ａ上を滑るとともに、前記軸部が前記係合孔に自動的に挿入される。よって、ユーザーが上カバー５を閉じさえすれば、上カバー５から外れてガイド面７１Ａに保持されたリンクレバー３４は自動的に元通り係合する。
【００４３】
また、本実施形態に係る印刷装置１では、係合軸３３、係合孔３４Ａ又はリンクレバー端縁部３４αに面取部が形成され、係合軸３３は、これら面取部を介して係合孔３４Ａに自動的に挿入される。よって、上カバー５を閉塞する際のリンクレバー３４の再係合はよりスムーズに行われる。
【００４４】
尚、本発明は前記実施形態に限定されることはなく、本発明の要旨を逸脱しない範囲内で種々の改良、変形が可能であることは勿論である。例えば、本実施形態において係合孔は貫通していたが、係合軸と係合可能ならば貫通しなくてもよい。
また、本実施形態ではガイドリブの位置について、上カバーを開ききった状態においてガイド面を側面視してなる線分が、上カバーの回転中心を中心とする円の接線上となる位置とした。これにより、上カバーを閉じる際のリンクレバー位置の変動がわずかとなるため、リンクレバーは上カバーにスムーズに再係合される。しかし、リンクレバーが外れた後に規制される上カバーの開放角度等によっては、必ずしも接線上とならなければいけない訳ではなく、上記接線とガイド面７１Ａからなる線分との間には少々の角度のずれがあっても構わない。
また、本実施形態と異なり、トップカバーに係合孔が形成され、リンクレバーに軸部が形成される場合も考えられる。この場合は係合孔に面取りが必要であり軸部にも面取りがなされていることが望ましいが、リンクレバー端縁部には面取りは必要ない。一方、本実施形態のように、トップカバーに軸部が、リンクレバーに係合孔が形成されている場合でも、リンクレバーが外れた後の上カバーの開放規制角度等によっては、係合孔及び軸部の面取りは必ずしも必要ない。
【符号の説明】
【００４５】
１              印刷装置
２              本体筐体
３              ロールシートホルダ  ３Ａ            ロールシート
５              上カバー
５Ｃ、５Ｃ´    上カバー後端縁部に設けられた爪部
３２            サーマルヘッド
３３            係合軸
３４            リンクレバー
３４Ａ          係合孔
３４α          上カバー側リンクレバー端縁部
３５            プラテンローラ
５１            リリースレバー
７１            ガイドリブ
７１Ａ          ガイド面    
Ｔ              上カバーの回転中心（ヒンジ軸）
Ｃ１            上カバーを開ききった状態において左側面視した係合軸の中心
Ｃ２            上カバーを開ききり、リンクレバーがガイドリブ上に保持された状態において左側面視した係合孔の中心
Ｌ              Ｔを中心とし、Ｃ１及びＣ２を通る円
Ｍ              Ｔを中心とし、ガイド面を左側面視してなる線分を接線とする円
【図１】
2011000764.tif 000003
【図２】
2011000764.tif 000004
【図３】
2011000764.tif 000005
【図４】
2011000764.tif 000006
【図５】
2011000764.tif 000007
【図６】
2011000764.tif 000008